(57)【要約】【課題】かご内の状況を確実に把握できるエレベータかご監視システムの提供。【解決手段】かご１内のインターホン親機２Ａ及びかご内モニタ装置２Ｂと、管理室７のインターホン子機７Ａと、監視センタ８の電話機８Ａとを備えるとともに、建物の住人が携帯する個人認証装置４の特定情報を受信するアンテナ５と、管理室カメラ７Ｂと、監視センタカメラ８Ｂと、通信制御及び画像表示制御を行う通信制御装置１１と、かご１内の外来者判断手段と、管理室７の管理人の在不在情報を出力するスイッチ７Ｄとを備え、アンテナ５で受信される特定情報と、外来者判断手段による外来者有無情報と、スイッチ７Ｄによる管理人の在不在情報とに基づいて、インターホン親機２Ａの通話先とかご内モニタ装置２Ｂの画像の送信元を管理室７及び監視センタ８の少なくとも一方に設定した。【選択図】図１
2010023935.tif 000002
【特許請求の範囲】
【請求項１】
エレベータのかご内に設けられるインターホン親機と、建物の管理室に設けられるインターホン子機と、前記インターホン親機と通信回線を介して遠隔的に接続される監視センタの電話機とを備えるとともに、前記かご内を撮影するかご内カメラで撮影した映像を表示するかご内モニタ装置を備えたエレベータかご監視システムにおいて、
建物に居住する住人が携帯する個人認証装置と、
前記個人認証装置に格納される特定情報を受信する受信手段と、
前記管理室に設けた管理室モニタ装置及び前記管理室を撮影する管理室カメラと、
前記監視センタに設けた監視センタモニタ装置及び前記監視センタを撮影する監視センタカメラと、
前記インターホン親機と前記インターホン子機との通信制御、及び前記かご内カメラ、前記管理室カメラ、または前記監視センタカメラの映像を前記かご内モニタ装置に表示させる画像表示制御を行う通信制御装置と、
前記かご内の乗客に外来者が含まれるかどうかを判断する外来者判断手段と、
前記管理室内の管理人の在不在情報を出力する在不在情報出力手段とを備え、
前記受信手段で受信される特定情報と、前記外来者判断手段による外来者有無情報と、前記在不在情報出力手段による管理人の在不在情報とに基づいて、前記インターホン親機の通話先と前記かご内モニタ装置の画像の送信元を前記管理室及び前記監視センタの少なくとも一方に設定することを特徴とするエレベータかご監視システム。
【請求項２】
請求項１記載のエレベータかご監視システムにおいて、
前記個人認証装置に格納される特定情報は、前記個人認証装置の所有者を特定する氏名情報と、年齢情報と、前記かご内での監視を希望する監視希望情報から成ることを特徴とするエレベータかご監視システム。
【請求項３】
請求項２記載のエレベータかご監視システムにおいて、
前記外来者判断手段は、かご荷重検出装置で検出したかご荷重と、前記個人認証装置の検出人数及び前記年齢情報による体重情報に基づいて外来者を判断することを特徴とするエレベータかご監視システム。
【請求項４】
請求項２記載のエレベータかご監視システムにおいて、
前記通信制御装置は、
前記受信手段の受信情報により前記監視希望情報を検出し、さらに前記在不在情報出力手段により管理人在情報を検出したとき、前記インターホン親機と前記インターホン子機を接続し、前記管理室カメラの映像を前記かご内モニタ装置に表示させ、
一方、前記受信手段の受信情報により前記監視希望情報を検出し、さらに前記在不在情報出力手段により管理人不在情報を検出したとき、前記インターホン親機と前記監視センタの前記電話機を接続し、前記監視センタカメラの映像を前記かご内モニタ装置に表示させるようにしたことを特徴とするエレベータかご監視システム。
【請求項５】
請求項２記載のエレベータかご監視システムにおいて、
前記通信制御装置は、前記かご内に居住者のみで構成された複数の乗客のうち少なくとも一人が前記監視希望であるとき、予め記憶した所定の人物画像と所定の音声を、前記かご内モニタ装置及び前記インターホン親機へそれぞれ送信することを特徴とするエレベータかご監視システム。
【請求項６】
請求項２記載のエレベータかご監視システムにおいて、
前記かご内に居住者と外来者で構成された複数の乗客のうち、前記居住者全員が前記監視希望否であるとき、予め記憶した注意事項を含む所定の画像を、前記かご内モニタ装置へ送信することを特徴とするエレベータかご監視システム。
【発明の詳細な説明】
【技術分野】
【０００１】
本発明は、エレベータかご監視システムに係わり、特に、エレベータかご内の防犯監視に好適なエレベータかご監視システムに関するものである。
【背景技術】
【０００２】
近年、エレベータのかご内での乗客に対する痴漢行為や乗客が不審者に襲われるといった犯罪が増加している。このような犯罪は特に乗客が女性や子供のときである場合が多い。そのため、事前に外部者の侵入を防ぎかご内の乗客を監視することで安心感を高めるため、住戸人の指紋を照合したときにかご内の監視カメラ映像を各住戸に設置されたモニタテレビに映し出し、モニタテレビに備えてある非常ボタンを操作すると住戸人とエレベータかご内の乗客とが通話ができる監視通話システムが提案されている（例えば、特許文献１参照）。
【０００３】
また、テンキーボードにより入力した暗証番号に秘められた住居階と行先ボタンが一致した場合にエレベータ運転を行い、乗客が２人の時にかご内と各住居または管理人室と通話できるエレベータの防犯装置が提案されている（例えば、特許文献２参照）。
【特許文献１】特開２００１−２５３６５５号公報
【特許文献２】特開平３−１２７８３号公報
【発明の開示】
【発明が解決しようとする課題】
【０００４】
上述した従来技術では、エレベータのかご内の監視状態が各居室内に映し出されるようになっているが、その居室に家族が常にいるとは限らず、また、家事等をしていた場合にはモニタテレビに出るまでに時間がかかり、その間にかご内の乗客が降りてしまい、かご内の状況を把握できなくなる虞があった。なお、かご内の監視が不要な人にとっては、その都度監視システムの解除が必要であり、煩雑であった。
【０００５】
本発明は、このような従来技術の実情に鑑みてなされたもので、その目的は、かご内の状況を確実に把握することができるエレベータかご監視システムを提供することにある。
【課題を解決するための手段】
【０００６】
上記の目的を達成するために、本発明のエレベータかご監視システムは、エレベータのかご内に設けられるインターホン親機と、建物の管理室に設けられるインターホン子機と、前記インターホン親機と通信回線を介して遠隔的に接続される監視センタの電話機とを備えるとともに、前記かご内を撮影するかご内カメラで撮影した映像を表示するかご内モニタ装置を備えたエレベータかご監視システムにおいて、建物に居住する住人が携帯する個人認証装置と、前記個人認証装置に格納される特定情報を受信する受信手段と、前記管理室に設けた管理室モニタ装置及び前記管理室を撮影する管理室カメラと、前記監視センタに設けた監視センタモニタ装置及び前記監視センタを撮影する監視センタカメラと、前記インターホン親機と前記インターホン子機との通信制御、及び前記かご内カメラ、前記管理室カメラ、または前記監視センタカメラの映像を前記かご内モニタ装置に表示させる画像表示制御を行う通信制御装置と、前記かご内の乗客に外来者が含まれるかどうかを判断する外来者判断手段と、前記管理室内の管理人の在不在情報を出力する在不在情報出力手段とを備え、前記受信手段で受信される特定情報と、前記外来者判断手段による外来者有無情報と、前記在不在情報出力手段による管理人の在不在情報とに基づいて、前記インターホン親機の通話先と前記かご内モニタ装置の画像の送信元を前記管理室及び前記監視センタの少なくとも一方に設定するようにしたことを特徴としている。
【０００７】
このように構成された本発明では、管理室あるいは監視センタによって常にかご内が監視されるので、これらの管理室あるいは監視センタによってかご内の状況を確実に把握することができる。
【０００８】
また、本発明のエレベータかご監視システムでは、前記発明において、個人認証装置に格納される特定情報は、個人認証装置の所有者を特定する氏名情報と、年齢情報と、かご内での監視を希望する監視希望情報から成ることを特徴としている。
【０００９】
このように構成された本発明では、個人認証装置に格納される特定情報がかご内での監視を希望する監視希望情報を含むものであり、監視を希望しないかごの乗客は、その旨の情報を予め入力しておくだけでよい。
【００１０】
また、本発明のエレベータかご監視システムでは、前記発明において、外来者判断手段は、かご荷重検出装置で検出したかご荷重と、個人認証装置の検出人数及び年齢情報による体重情報に基づいて外来者を判断することを特徴としている。
【００１１】
また、本発明のエレベータかご監視システムでは、前記発明において、通信制御装置は、受信手段の受信情報により監視希望情報を検出し、さらに在不在情報出力手段により管理人在情報を検出したとき、インターホン親機とインターホン子機を接続し、管理室カメラの映像をかご内モニタ装置に表示させ、一方、受信手段の受信情報により監視希望情報を検出し、さらに在不在情報出力手段により管理人不在情報を検出したとき、インターホン親機と監視センタの電話機を接続し、監視センタカメラの映像をかご内モニタ装置に表示させるようにしたことを特徴としている。
【００１２】
また、本発明のエレベータかご監視システムでは、前記発明において、通信制御装置は、かご内に居住者のみで構成された複数の乗客のうち少なくとも一人が監視希望であるとき、予め記憶した所定の人物画像と所定の音声を、かご内モニタ装置及びインターホン親機へそれぞれ送信することを特徴としている。
【００１３】
また、本発明のエレベータかご監視システムでは、前記発明において、かご内に居住者と外来者で構成された複数の乗客のうち、居住者全員が監視希望否であるとき、予め記憶した注意事項を含む所定の画像を、かご内モニタ装置へ送信することを特徴としている。
【発明の効果】
【００１４】
本発明によれば、受信手段で受信される特定情報と、外来者判断手段による外来者有無情報と、在不在情報出力手段による管理人の在不在情報とに基づいて、インターホン親機の通話先とかご内モニタ装置の画像の送信元を管理室及び監視センタの少なくとも一方に設定するようにしたことから、管理室あるいは監視センタによって常にかご内が監視され、管理室あるいは監視センタでかご内の状況を確実に把握することができる。これにより、従来に比べて、かご内の防犯監視精度を高めることができ、建物の居住者がエレベータの乗客となった場合、多大な安心感をその乗客に与えることができる。
【発明を実施するための最良の形態】
【００１５】
以下、本発明に係るエレベータかご監視システムを実施するための最良の形態を図に基づいて説明する。
【００１６】
図１は本発明に係るエレベータかご監視システムの一実施形態を示すブロック図である。この図１に示すように、本発明の一実施形態に係るエレベータかご監視システムは、建物に設置されるエレベータのかご１と、このかご１から離れた位置に配置される管理室７と、建物から遠隔的に位置する監視センタ８と、例えば建物内に配置される記憶装置１２と、通信制御装置１１とで主に構成されている。
【００１７】
エレベータのかご１には、インターホン親機２Ａ、かご内モニタ装置２Ｂ、及び行先階ボタン２Ｃとを有する操作盤２と、かご１内を撮影するかご内カメラ３と、個人認証装置４に格納される特定情報を受信する受信手段であるアンテナ５と、かご内乗客の重量を検出する荷重検出装置６と、かご内カメラで撮影した映像を記録するデジタル記録装置１０とが備えられている。なお、建物に居住する乗客Ａが携帯する図示しないμチップ内蔵の個人認証装置４は、かご１内に乗客が乗り込んだときに、かご１内に配置される。
【００１８】
管理室７は、かご１のインターホン親機２Ａと通話可能に接続されるインターホン子機７Ａと、管理室７内を撮影する管理室カメラ７Ｂと、管理室モニタ装置を含む管理室パソコン７Ｃと、管理室内の図示しない管理人の在不在情報を出力する在不在情報出力手段、例えばスイッチ７Ｄとを備えている。また、監視センタ８は、かご１のインターホン親機２Ａと通話回線Ｔを介して遠隔的に接続されるインターホン子機８Ａと、監視センタ８内を撮影する監視センタカメラ８Ｂと、監視センタモニタ装置を含む監視センタパソコン８Ｃとを備えている。
【００１９】
また、図５は本実施形態に備えられる個人認証装置４に格納される特定情報を示す図である。上述した記憶装置１２には、図１に示すように、かご内モニタ装置２Ｂに表示させる建物の管理人等人物の動画や静止画等を記憶する領域の人物画像記憶部１２Ａと、かご内モニタ装置２Ｂに表示させる文字情報である例えば、「ただ今、カメラで監視しています。」、「現在、監視中」、「撮影中」等の文章を記憶する領域の文字画像記憶部１２Ｂと、建物に居住する住人の個人情報と個人認証装置４に格納される情報によって個人を特定する認証情報及び建物の管理人等の声で例えば、「お帰りなさい」、「気をつけて」、「今晩は」等の音声情報等を記憶する領域であるその他データ記憶部１２Ｃとが含まれている。ここで、その他データ記憶部１２Ｃに記憶されるデータと、図５に示す個人認証装置４に格納される特定情報であるシリアルナンバー１２Ｃａにより、建物に居住する住人の性別１２Ｃｂ、年齢１２Ｃｃ、氏名１２Ｃｄ、居室番号１２Ｃｅ、かご内での監視要否１２Ｃｆについて判断することができる。
【００２０】
また、通信制御装置１１は、かご１に関係して設けられる機器、すなわち、かご内モニタ装置２Ｂ、アンテナ５、及びデジタル記録装置１０と、上述したように管理室７と、記憶装置１２とに接続され、また通信回線Ｔを介して監視センタ８と接続されている。また、通信制御装置１１は、エレベータ制御装置９を介してインターホン親機２Ａと、行先階ボタン２Ｃと、荷重検出装置６とに接続されている。
【００２１】
図２〜４は本実施形態の動作手順を示すフローチャート、図６は本実施形態に備えられるかご内モニタ装置の表示例を示す図である。
【００２２】
図２に示すように、今、個人認証装置４を所持した乗客Ａが８歳の未成年の女児であり、監視要とすると、この乗客Ａがエレベータのかご１に乗り込んだとき、通信制御装置１１は、個人認証装置４に格納された特定情報であるシリアルナンバー△△―△Ａをアンテナ５より受信し、記憶装置１２のその他データ記憶部１２Ｃの特定情報により、その乗客Ａの性別１２Ｃｂ、年齢１２Ｃｃ、氏名１２Ｃｄ、居室番号１２Ｃｅ、かご内での監視要否１２Ｃｆを認識し、乗客Ａが、かご１内での監視を必要とする８歳の未成年の女児であることを確認する（ステップＳ１）。
【００２３】
次に、通信制御装置１１は、記憶装置１２のその他データ記憶部１２Ｃに予め記憶させた８歳の女児の平均体重情報と荷重検出装置６からエレベータ制御装置９を介して取得したかご１の積載荷重より、かご１内の人数計測を行う（ステップＳ２）。
【００２４】
次に、通信制御装置１１は、かご１内の乗客の中で個人認証装置４からシリアルナンバーの情報取得の有無を判断し（ステップＳ３）、ステップＳ１にて取得した個人認証装置４に格納された特定情報から取得したシリアルナンバーの数とステップＳ２から判明したかご１内の乗客人数とが同一か否かを判断し（ステップＳ４）、シリアルナンバーの数とかご１内の乗客人数とが同一であると判明した場合、その数が１人か否かを判断する（ステップＳ５）。
【００２５】
次に、ステップＳ５でかご１内の乗客が乗客Ａ１人だけであると判断した場合、通信制御装置１１は、個人認証装置４に格納された特定情報と記憶装置１２のその他データ記憶部１２Ｃの情報に基づき、乗客Ａについてかご１内での監視要否１２Ｃｆを確認する（ステップＳ６）。
【００２６】
ステップＳ６でかご１内の乗客Ａについて監視要であることを確認すると、通信制御装置１１は、スイッチ７ＤのＯＮ、ＯＦＦの状態に基づいて、管理室７内に図示しない管理人が存在するかどうかの在不在情報を、通信制御装置１１−管理室パソコン７Ｃ−スイッチ７Ｄ経由にて確認する（ステップＳ７）。例えば、スイッチ７ＤがＯＮであると、管理室７内に管理人が存在しており、スイッチ７ＤがＯＦＦであると、管理室７内に管理人が不在であるように、予め設定されている。
【００２７】
ステップＳ７で管理室７内に管理人が存在すると判断した場合、通信制御装置１１は、インターホン親機２Ａとインターホン子機７Ａの接続を、インターホン親機２Ａ−エレベータ制御装置９−通信制御装置１１−管理室パソコン７Ｃ−インターホン子機７Ａ経由にて行い、かご内モニタ装置２Ｂへ管理室カメラ７Ｂで撮影した管理室７内の管理人の映像を、管理室カメラ７Ｂ−管理室パソコン７Ｃ−通信制御装置１１−かご内モニタ装置２Ｂ経由にて送信する（ステップＳ８）。これにより、管理室７内の管理人と乗客Ａとの通話が可能になり、さらに管理室カメラ７Ｂで管理人の映像をかご内モニタ装置２Ｂに表示することができ、管理人のかけ声と映像を送ることにより、かご１内の乗客Ａに多大な安心感を与えることができる。
【００２８】
一方、ステップＳ７で管理室７内に管理人が不在であると判断した場合、通信制御装置１１は、記憶装置１２のその他データ記憶部１２Ｃの情報として予め記憶した「お帰りなさい」等の音声情報を抽出してインターホン親機２Ａへ報知し、さらに記憶装置１２の人物画像記憶部１２Ａの情報として予め記憶した管理人の動画を抽出してかご内モニタ装置２Ｂに表示する（ステップＳ９）。これにより、管理室７内に不在の管理人が管理室７内に存在するかのような対応を行うことができ、管理人在不在にかかわらず、乗客Ａに常にかご１内を監視しているという安心感を与えることができる。
【００２９】
ここで、かご１内の個人認証装置４を所持した乗客Ｂを大人とし、ステップＳ５で乗客Ｂが１人だけであると判明し、さらにステップＳ６で乗客Ｂがかご１内での監視否である場合、通信制御装置１１は、かご内カメラ３で撮影した映像をデジタル記録装置１０に記録するだけとなる。
【００３０】
次に、ステップＳ５でかご１内の乗客が複数人存在し、かつ全員が個人認証装置４を所持する場合には、図３に示すように、かご１内の同乗者は全員建物に居住する乗客で構成されていることであり（ステップＳＡ１）、通信制御装置１１は、個人認証装置４に格納された特定情報と記憶装置１２のその他データ記憶部１２Ｃの情報に基づき、乗客全員についてかご１内での監視要否１２Ｃｆを確認する（ステップＳＡ２）。
【００３１】
ステップＳＡ２でかご１内の乗客の中にかご１内の監視要否１２Ｃｆが監視要である乗客が１人でも存在する場合、通信制御装置１１は、スイッチ７ＤのＯＮ、ＯＦＦの状態に基づいて、管理室７内に管理人が存在するかどうかの在不在情報を、通信制御装置１１−管理室パソコン７Ｃ−スイッチ７Ｄ経由にて確認する（ステップＳＡ３）。
【００３２】
ステップＳＡ３で管理室７内に管理人が存在すると判断した場合、通信制御装置１１は、インターホン親機２Ａとインターホン子機７Ａの接続を、インターホン親機２Ａ−エレベータ制御装置９−通信制御装置１１−管理室パソコン７Ｃ−インターホン子機７Ａ経由にて行い、かご内モニタ装置２Ｂへ管理室カメラ７Ｂで撮影した管理室７内の映像を、管理室カメラ７Ｂ−管理室パソコン７Ｃ−通信制御装置１１−かご内モニタ装置２Ｂ経由にて送信する（ステップＳＡ４）。これにより、管理室７内の管理人とかご１内の乗客との通話が可能になり、さらに管理室カメラ７Ｂで管理人の映像をかご内モニタ装置２Ｂに表示することができ、管理人のかけ声と映像を送ることにより、乗客に多大な安心感を与えることができる。
【００３３】
一方、ステップＳＡ３で管理室７内に管理人が不在であると判断した場合、通信制御装置１１は、記憶装置１２のその他データ記憶部１２Ｃの情報に予め記憶した「お帰りなさい」等の音声情報を抽出してインターホン親機２Ａへ報知し、さらに記憶装置１２の人物画像記憶部１２Ａの情報に予め記憶した管理人の動画を抽出してかご内モニタ装置２Ｂに表示する（ステップＳＡ５）。これにより、管理室７内に不在の管理人が管理室７内に存在するかのような対応を行うことができ、管理人在不在にかかわらず、かご１内の乗客に常にかご１内を監視しているという安心感を与えることができる。
【００３４】
ここで、ステップＳＡ２で個人認証装置４を所持するかご１内の乗客全員が、かご１内の監視否である場合、通信制御装置１１は、かご内カメラ３で撮影した映像をデジタル記録装置１０に記録するだけとなる。
【００３５】
次に、図２のステップＳ３でかご１内の乗客全員が個人認証装置４を所持しない場合、あるいはステップＳ４でかご１内の乗客の人数と個人認証装置４を所持する乗客人数が異なる場合、かご１内の乗客には建物に居住者以外の外来者が存在することになり（図４のステップＳＢ１）、通信制御装置１１は、個人認証装置４に格納された特定情報と記憶装置１２のその他データ記憶部１２Ｃの情報に基づき、乗客についてかご１内での監視要否１２Ｃｆを確認する（ステップＳＢ２）。前述した図２のステップＳ３、Ｓ４、及び図４のステップＳＢ１は、外来者判断手段を構成している。
【００３６】
ステップＳＢ２でかご１内の乗客の中にかご１内の監視要否１２Ｃｆが監視要である乗客が１人でも存在する場合、通信制御装置１１は、スイッチ７ＤのＯＮ、ＯＦＦの状態に基づいて、管理室７内に管理人の在不在情報を、通信制御装置１１−管理室パソコン７Ｃ−スイッチ７Ｄ経由にて確認する（ステップＳＢ３）。
【００３７】
ステップＳＢ３で管理室７内に管理人が存在すると判断した場合、通信制御装置１１は、インターホン親機２Ａとインターホン子機７Ａの接続を、インターホン親機２Ａ−エレベータ制御装置９−通信制御装置１１−管理室パソコン７Ｃ−インターホン子機７Ａ経由にて行い、図６に示すように、かご内モニタ装置２Ｂへ管理室カメラ７Ｂで撮影した管理人の映像２Ｂａ、及び記憶装置１２の文字画像記憶部１２Ｂの情報として予め記憶した「現在、監視中」２Ｂｂの文字情報等を、管理室カメラ７Ｂ−管理室パソコン７Ｃ−通信制御装置１１−かご内モニタ装置２Ｂ経由にて送信する（ステップＳＢ４）。これにより、管理室７内の管理人とかご１内の乗客との通話が可能になり、さらに管理室カメラ７Ｂで管理人の映像２Ｂｂ及び監視している旨の文章「現在、監視中」２Ｂｂ等の文字情報をかご内モニタ装置２Ｂに表示することができ、かご１内の外来者の乗客に対して犯罪の抑制が図れるとともに、管理人のかけ声と映像を送ることにより、乗客に多大な安心感を与えることができる。
【００３８】
また、ステップＳＢ３で管理室７内に管理人が不在であると判断した場合、通信制御装置１１は、インターホン親機２Ａと監視センタ８の電話機８Ａの接続を、通信回線Ｔを介して、インターホン親機２Ａ−エレベータ制御装置９−通信制御装置１１−通信回線Ｔ−監視センタパソコン８Ｃ−電話機８Ａ経由にて行い、さらにかご内モニタ装置２Ｂへ監視センタカメラ８Ｂで撮影した監視センタ８内の図示しない監視員の映像を、監視センタカメラ８Ｂ−監視センタパソコン７Ｃ−通信回線Ｔ−通信制御装置１１−かご内モニタ装置２Ｂ経由にて送信する。これにより、監視センタ８内の監視員とかご１内の乗客との通話が可能になり、さらに監視センタカメラ８Ｂで監視員の映像をかご内モニタ装置２Ｂに表示することができ、監視員のかけ声と映像、及び「現在、監視中」２Ｂｂの文字情報等をかご内モニタ装置２Ｂに送ることにより、管理室７内に管理人が不在のときでも管理人が管理室７で監視しているときと同じ効果を得ることができる。
【００３９】
ここで、ステップＳＢ２でかご１内の乗客の中にかご１内の監視要否１２Ｃｆが監視要である乗客が１人も存在しない場合、かご内モニタ装置２Ｂへ管理室カメラ７Ｂで撮影した管理人の映像２Ｂａ、及び記憶装置１２の文字画像記憶部１２Ｂの情報として予め記憶した「現在、監視中」２Ｂｂの文字情報等を送信することにより、外来者の乗客に対して犯罪の抑制を図ることができる。
【００４０】
なお、上記の実施形態では、かご内モニタ装置２Ｂに管理室カメラ７Ｂもしくは監視センタカメラ８Ｂの映像を表示させる説明を行ったが、管理室パソコン７Ｃもしくは監視センタパソコン８Ｃのモニタにかご内カメラ３の映像を表示させても良い。この場合、管理人や監視員はかご１内の乗客の表情や行動を確認できるので、かご内の防犯監視精度をより高めることができる。
【００４１】
また、上記の実施形態では、個人認証装置４内部にμチップを用い、μチップのシリアル番号１２Ｃａで個人認証装置４を所持するかご１内の乗客の各種特定情報を取得するように説明したが、個人認証装置４自体に乗客の各種特定情報である性別１２Ｃｂ、年齢１２Ｃｃ、氏名１２Ｃｄ、居室番号１２Ｃｅ、かご１内での監視要否１２Ｃｆを記憶させても同じ効果を得ることができる。
【００４２】
また、上記の実施形態では、外来者判断手段は、かご１の荷重を検出する荷重検出装置６で検出したかご荷重と、個人認証装置４の検出人数と、個人認証装置４で取得した年齢情報による体重情報とに基づいているが、個人認証装置４の検出人数とかご内カメラ３の映像で検出した人数の差で求めても同じ効果を得ることができる。
【００４３】
また、上記の実施形態では、通信制御装置１１と監視センタパソコン８Ｃとの接続を管理室７に管理人が不在のとき、通信回線Ｔを介して行うように説明したが、通信回線Ｔをブロードバンド等で常時接続させておけば、要事への対応を迅速に行うことができる。
【００４４】
このように構成した本実施形態によれば、アンテナ５で受信される特定情報と、図２のステップＳ３、Ｓ４、及び図４のステップＳＢ１の判断処理によって構成される外来者判断手段による外来者有無情報と、スイッチ７ＤのＯＮ、ＯＦＦによる管理人の在不在情報とに基づいて、インターホン親機２Ａの通話先とかご内モニタ装置２Ｂの画像の送信元を管理室７及び監視センタ８の少なくとも一方に設定するようにしたことから、管理室７あるいは監視センタ８によって常にかご１内が監視され、管理室７あるいは監視センタ８でかご１内の状況を確実に把握することができる。これにより、かご１内の防犯監視精度を高めることができ、建物の居住者がエレベータの乗客となった場合、多大な安心感をその乗客に与えることができる。
【００４５】
また、個人認証装置４に格納される特定情報がかご１内での監視を希望する監視希望情報を含むものであり、監視を希望しないかご１の乗客は、その旨の情報を予め入力しておくだけでよく、監視が不要な場合の操作が簡単である。
【図面の簡単な説明】
【００４６】
【図１】本発明に係るエレベータかご監視システムの一実施形態を示すブロック図である。
【図２】本実施形態の動作手順を示すフローチャートである。
【図３】本実施形態の動作手順を示すフローチャートである。
【図４】本実施形態の動作手順を示すフローチャートである。
【図５】本実施形態に備えられる個人認証装置に格納される特定情報を示す図である。
【図６】本実施形態に備えられるかご内モニタ装置の表示例を示す図である。
【符号の説明】
【００４７】
１  かご
２Ａ  インターホン親機
２Ｂ  かご内モニタ装置
２Ｃ  行先階ボタン
３  かご内カメラ
４  個人認証装置、
５  アンテナ
６  荷重検出装置
７  管理室
７Ａ  インターホン子機
７Ｂ  管理室カメラ
７Ｃ  管理室パソコン
７Ｄ  スイッチ（在不在情報出力手段）
８  監視センタ
８Ａ  電話機
８Ｂ  監視センタカメラ
８Ｃ  監視センタパソコン
９  エレベータ制御装置
１０  デジタル記録装置
１１  通信制御装置
１２  記憶装置
１２Ａ  人物画像記憶部
１２Ｂ  文字画像記憶部
１２Ｃ  その他データ記憶部
Ａ、Ｂ  乗客
Ｔ  通信回線
【図１】
2010023935.tif 000003
【図２】
2010023935.tif 000004
【図３】
2010023935.tif 000005
【図４】
2010023935.tif 000006
【図５】
2010023935.tif 000007
【図６】
2010023935.tif 000008